(57)【要約】【課題】棟包が固定された後の屋根に、棟包や屋根材等を残したまま棟換気装置を設置できる棟換気装置の設置方法、及び建造物を提供すること。【解決手段】棟包、笠木、屋根材、野地板の順に、棟包と笠木と屋根材と野地板とを貫通して開口部を形成する開口形成工程と、開口部の内周面、開口部の上縁面、及び開口部の下縁面を、防水材で覆う止水処理工程と、開口部の上方を覆う位置で、棟包に棟換気装置を取り付ける棟換気装置固定工程とを有する。【選択図】  図１
2018096143.tif 000002
【特許請求の範囲】
【請求項１】
垂木の上部に野地板を設け、前記野地板の上面には屋根材が敷設され、屋根頂部に笠木が配置され、前記笠木に棟包が固定された建造物に対する棟換気装置の設置方法であって、
前記棟包、前記笠木、前記屋根材、前記野地板の順に、前記棟包と前記笠木と前記屋根材と前記野地板とを貫通して開口部を形成する開口形成工程と、
前記開口部の内周面、前記開口部の上縁面、及び前記開口部の下縁面を、防水材で覆う止水処理工程と、
前記開口部の上方を覆う位置で、前記棟包に前記棟換気装置を取り付ける棟換気装置固定工程と
を有する
ことを特徴とする棟換気装置の設置方法。
【請求項２】
前記棟換気装置固定工程は、前記棟包に換気本体を取り付ける換気本体固定工程と、
前記換気本体の上面に、換気カバーを取り付ける換気カバー固定工程とからなることを特徴とする請求項１に記載の棟換気装置の設置方法。
【請求項３】
前記開口形成工程では、複数の前記開口部を形成し、
隣り合う前記開口部を、離間して形成する
ことを特徴とする請求項１又は請求項２に記載の棟換気装置の設置方法。
【請求項４】
複数の前記開口部を一列に並べて形成する
ことを特徴とする請求項３に記載の棟換気装置の設置方法。
【請求項５】
前記開口形成工程では、ドリルを用いて円形状の前記開口部を形成する
ことを特徴とする請求項１から請求項４のいずれかに記載の棟換気装置の設置方法。
【請求項６】
前記止水処理工程より前に、前記開口形成工程で形成した前記開口部の内周面及び上面から、ブロアーによってくず片を除去するくず片除去工程を有する
ことを特徴とする請求項１から請求項５のいずれかに記載の棟換気装置の設置方法。
【請求項７】
前記開口部周辺に捨水切を設けない
ことを特徴とする請求項１から請求項６のいずれかに記載の棟換気装置の設置方法。
【請求項８】
前記止水処理工程の後で、前記棟換気装置固定工程の前に、前記開口部の周辺にビス打ちを行う補強工程を有する
ことを特徴とする請求項１から請求項７のいずれかに記載の棟換気装置の設置方法。
【請求項９】
前記止水処理工程の後で、前記棟換気装置固定工程の前に、前記開口部の周辺に防水処理を行う開口部周り防水処理工程を有することを特徴とする請求項１から請求項８のいずれかに記載の棟換気装置の設置方法。
【請求項１０】
垂木の上部に野地板を設け、前記野地板の上面には屋根材が敷設され、屋根頂部に笠木が配置され、前記笠木に棟包が固定された建造物であって、
前記棟包と前記笠木と前記屋根材と前記野地板とを貫通する開口部と、
前記開口部の内周面、前記開口部の上縁面、及び前記開口部の下縁面を覆う防水材と、
前記開口部の上方を覆う位置で、前記棟包に取り付けた棟換気装置と
を有する
ことを特徴とする建造物。
【発明の詳細な説明】
【技術分野】
【０００１】
本発明は、建造物の屋根頂部への棟換気装置の設置方法、及び屋根頂部に棟換気装置が設置された建造物に関する。
【背景技術】
【０００２】
小屋裏の空気を換気する棟換気装置を建造物の屋根頂部に設置するためには、野地板に開口部を形成する必要がある。また、止水のため棟換気装置の下部に金属製の捨水切を取り付けることが一般的である。
そのため、棟包が固定された後、リフォーム時などに棟換気装置を追設しようとする場合は、棟包、笠木、及びスレートなどの屋根材を撤去し、野地板に開口を形成し、捨水切を取り付け、屋根材、笠木、及び棟包を復旧して棟換気装置を取り付ける手間が発生する。また、特に塗装が主であるリフォーム時においては、塗装業者では、このような屋根工事を行える職人がいない場合が多い。また、スレートにはアスベストが含まれていることが多く、廃材処理費が高額となる。よって、屋根頂部に棟包が固定された後、リフォーム時などに棟換気装置を追設することは困難であった。
ここで、特許文献１には、屋根構造体に敷設された屋根材上から建物内へ線材を引き込むための線材引込装置が開示されている。
また、特許文献２には、棟包が脱着自在である屋根構造が開示されている。
【先行技術文献】
【特許文献】
【０００３】
【特許文献１】特開２０１３−１３００１０号公報
【特許文献２】特開２０１４−１９８９４７号公報
【発明の概要】
【発明が解決しようとする課題】
【０００４】
しかし、特許文献１記載の発明は、棟換気装置に関するものではなく、換気については何ら考慮されていない。
また、特許文献２は、棟包が脱着自在では無い建造物に対して棟換気装置を追設しようとするものではない。
【０００５】
そこで、本発明は、棟包が固定された後の屋根に、棟包や屋根材等を残したまま棟換気装置を設置できる棟換気装置の設置方法、及び建造物を提供することを目的とする。
【課題を解決するための手段】
【０００６】
請求項１記載の本発明の棟換気装置の設置方法は、垂木の上部に野地板を設け、前記野地板の上面には屋根材が敷設され、屋根頂部に笠木が配置され、前記笠木に棟包が固定された建造物に対する棟換気装置の設置方法であって、前記棟包、前記笠木、前記屋根材、前記野地板の順に、前記棟包と前記笠木と前記屋根材と前記野地板とを貫通して開口部を形成する開口形成工程と、前記開口部の内周面、前記開口部の上縁面、及び前記開口部の下縁面を、防水材で覆う止水処理工程と、前記開口部の上方を覆う位置で、前記棟包に前記棟換気装置を取り付ける棟換気装置固定工程とを有することを特徴とする。
請求項２記載の本発明は、請求項１に記載の棟換気装置の設置方法において、前記棟換気装置固定工程は、前記棟包に換気本体を取り付ける換気本体固定工程と、前記換気本体の上面に、換気カバーを取り付ける換気カバー固定工程とからなることを特徴とする。
請求項３記載の本発明は、請求項１又は請求項２に記載の棟換気装置の設置方法において、前記開口形成工程では、複数の前記開口部を形成し、隣り合う前記開口部を、離間して形成することを特徴とする。
請求項４記載の本発明は、請求項３に記載の棟換気装置の設置方法において、複数の前記開口部を一列に並べて形成することを特徴とする。
請求項５記載の本発明は、請求項１から請求項４のいずれかに記載の棟換気装置の設置方法において、前記開口形成工程では、ドリルを用いて円形状の前記開口部を形成することを特徴とする。
請求項６記載の本発明は、請求項１から請求項５のいずれかに記載の棟換気装置の設置方法において、前記止水処理工程より前に、前記開口形成工程で形成した前記開口部の内周面及び上面から、ブロアーによってくず片を除去するくず片除去工程を有することを特徴とする。
請求項７記載の本発明は、請求項１から請求項６のいずれかに記載の棟換気装置の設置方法において、前記開口部周辺に捨水切を設けないことを特徴とする。
請求項８記載の本発明は、請求項１から請求項７のいずれかに記載の棟換気装置の設置方法において、前記止水処理工程の後で、前記棟換気装置固定工程の前に、前記開口部の周辺にビス打ちを行う補強工程を有することを特徴とする。
請求項９記載の本発明は、請求項１から請求項８のいずれかに記載の棟換気装置の設置方法において、前記止水処理工程の後で、前記棟換気装置固定工程の前に、前記開口部の周辺に防水処理を行う開口部周り防水処理工程を有することを特徴とする。
請求項１０記載の本発明の建造物は、垂木の上部に野地板を設け、前記野地板の上面には屋根材が敷設され、屋根頂部に笠木が配置され、前記笠木に棟包が固定された建造物であって、前記棟包と前記笠木と前記屋根材と前記野地板とを貫通する開口部と、前記開口部の内周面、前記開口部の上縁面、及び前記開口部の下縁面を覆う防水材と、前記開口部の上方を覆う位置で、前記棟包に取り付けた棟換気装置とを有することを特徴とする。
【発明の効果】
【０００７】
本発明によれば、棟包が固定された後の屋根に、棟包や屋根材等を残したまま棟換気装置を設置できる棟換気装置の設置方法、及び建造物を提供できる。
【図面の簡単な説明】
【０００８】
【図１】本発明の一実施例による建造物の屋根の一部断面図
【図２】本発明を実施する前の建造物の屋根の一部断面図
【図３】本発明の一実施例による建造物の屋根の頭頂部に設置する棟換気装置の斜視図
【図４】同棟換気装置を構成する換気カバー及び換気本体の斜視図
【図５】同棟換気装置の設置方法のフローチャート
【図６】同開口部の形成例を示す図
【図７】同開口部の目安の罫書き作業の説明図
【図８】同開口部が形成された屋根の一部を示す図
【図９】同ブロアーを用いたくず片除去工程の説明図
【図１０】同防水テープを用いた止水処理工程の説明図
【図１１】同防水テープを用いて止水処理がなされた屋根の一部断面図
【図１２】同補強ビスを用いた補強工程の説明図
【図１３】同シーリング剤を用いた開口部周り防水処理工程の説明図
【図１４】同換気本体固定工程の説明図
【図１５】同換気カバー固定工程の説明図
【図１６】同換気カバーに対する止水処理の説明図
【発明を実施するための形態】
【０００９】
本発明の第１の実施の形態による棟換気装置の設置方法は、棟包、笠木、屋根材、野地板の順に、棟包と笠木と屋根材と野地板とを貫通して開口部を形成する開口形成工程と、開口部の内周面、開口部の上縁面、及び開口部の下縁面を、防水材で覆う止水処理工程と、開口部の上方を覆う位置で、棟包に棟換気装置を取り付ける棟換気装置固定工程とを有するものである。
本実施の形態によれば、棟包が固定された後の屋根に、棟包、笠木、屋根材を残したまま棟換気装置を設置できる。
【００１０】
本発明の第２の実施の形態は、第１の実施の形態による棟換気装置の設置方法において、棟換気装置固定工程は、棟包に換気本体を取り付ける換気本体固定工程と、換気本体の上面に、換気カバーを取り付ける換気カバー固定工程とからなるとしたものである。
本実施の形態によれば、棟換気装置を設置する際に開口部を視認しやすくなる。
【００１１】
本発明の第３の実施の形態は、第１又は第２の実施の形態による棟換気装置の設置方法において、開口形成工程では、複数の開口部を形成し、隣り合う開口部を、離間して形成するものである。
本実施の形態によれば、開口部を形成しやすくなる。
【００１２】
本発明の第４の実施の形態は、第３の実施の形態による棟換気装置の設置方法において、複数の開口部を一列に並べて形成するものである。
本実施の形態によれば、棟換気装置から雨水が浸入することを、より確実に防止できる。
【００１３】
本発明の第５の実施の形態は、第１から第４のいずれかの実施の形態による棟換気装置の設置方法において、開口形成工程では、ドリルを用いて円形状の開口部を形成するものである。
本実施の形態によれば、円形状の開口部を効率的に精度良く形成することができる。
【００１４】
本発明の第６の実施の形態は、第１から第５のいずれかの実施の形態による棟換気装置の設置方法において、止水処理工程より前に、開口形成工程で形成した開口部の内周面及び上面から、ブロアーによってくず片を除去するくず片除去工程を有するものである。
本実施の形態によれば、止水処理工程において行う止水処理の効果を高めることができる。
【００１５】
本発明の第７の実施の形態は、第１から第６のいずれかの実施の形態による棟換気装置の設置方法において、開口部周辺に捨水切を設けないものである。
本実施の形態によれば、棟換気装置の設置が更に容易となる。
【００１６】
本発明の第８の実施の形態は、第１から第７のいずれかの実施の形態による棟換気装置の設置方法において、止水処理工程の後で、棟換気装置固定工程の前に、開口部の周辺にビス打ちを行う補強工程を有するものである。
本実施の形態によれば、開口部が形成された棟包を補強できる。
【００１７】
本発明の第９の実施の形態は、第１から第８のいずれかの実施の形態による棟換気装置の設置方法において、止水処理工程の後で、棟換気装置固定工程の前に、開口部の周辺に防水処理を行う開口部周り防水処理工程を有するものである。
本実施の形態によれば、棟換気装置から雨水が浸入することを、より確実に防止できる。
【００１８】
本発明の第１０の実施の形態による建造物は、棟包と笠木と屋根材と野地板とを貫通する開口部と、開口部の内周面、開口部の上縁面、及び開口部の下縁面を覆う防水材と、開口部の上方を覆う位置で、棟包に取り付けた棟換気装置とを有するものである。
本実施の形態によれば、棟包が固定された後の屋根に、棟包、笠木、屋根材を残したまま棟換気装置を設置した建造物を提供できる。
【実施例】
【００１９】
以下に本発明の一実施例による棟換気装置の設置方法、建造物について説明する。
【００２０】
図１は、本発明の一実施例による建造物の屋根１０の一部断面図である。なお、換気カバー２１を取り付ける前の状態を示している。
図２は、本発明を実施する前の建造物の屋根１０の一部断面図である。
柱（図示省略）の上端に棟木１１が水平に設けられている。また、垂木１２が、棟木１１の上部から軒先へ向けて斜め下方に傾斜して設けられている。垂木１２は、一方の垂木１２Ａと他方の垂木１２Ｂからなる。
垂木１２の上部には、野地板１３が設けられている。野地板１３の上面には、屋根材１４が敷設されている。屋根材１４は、ルーフィング等の屋根下葺材１４Ａとその上面に敷設されたスレート瓦１４Ｂからなる。屋根頂部には、笠木１５が配置されている。笠木１５の上面には、棟包１６が固定されている。
【００２１】
図３は、建造物の屋根１０の頭頂部に設置する棟換気装置２０の斜視図である。
棟換気装置２０は、屋根１０の頭頂部に沿って配置するため、屋根１０の形状と同様に、頭頂部から両側へ斜め下方に傾斜した形状としている。棟換気装置２０は、換気カバー２１と換気本体２２からなる。換気カバー２１は、換気本体２２の上方から取付けられる。
【００２２】
図４は、（ａ）換気カバー２１の斜視図、（ｂ）換気本体２２の斜視図である。
図４（ｂ）に示すように、換気本体２２は、一対の底面板材２２Ａを両側に有し、底面開口部２２Ｂを中央に有し、一対の換気カバー固定具２２Ｃを底面板材２２Ａと底面開口部２２Ｂの間に有する。
換気カバー固定具２２Ｃには、有底のビス孔２２Ｄが複数設けられている。ビス孔２２Ｄには、換気カバー２１を換気本体２２に固定するための換気カバー固定ビス２４（図１５参照）が挿入される。
また、図４（ａ）に示すように、換気カバー２１には、貫通ビス孔２１Ａが複数設けられている。貫通ビス孔２１Ａには、換気カバー固定ビス２４が通される。貫通ビス孔２１Ａは、ビス孔２２Ｄに対応した位置に設けられる。
【００２３】
図５は、本実施例による棟換気装置の設置方法のフローチャートである。
本実施例による棟換気装置の設置方法は、図５に示すように、棟包が固定された屋根１０に開口部を形成する開口形成工程Ｓ１０と、開口部を形成する際に発生したくず片を除去するくず片除去工程Ｓ２０と、開口部に対して止水処理を行う止水処理工程Ｓ３０と、棟包を補強する補強工程Ｓ４０と、開口部の周りに対して防水処理を行う開口部周り防水処理工程Ｓ５０と、開口部に棟換気装置を取り付ける棟換気装置固定工程Ｓ６０を有する。
【００２４】
図６〜８を用いて開口形成工程Ｓ１０を説明する。
図６は、開口部９０の形成例を示す図である。図７は、開口部９０の目安４０の罫書き作業を説明する図である。図８は、開口部９０が形成された屋根１０の一部を示す図であり、図８（ａ）は斜視図、図８（ｂ）は断面図である。
【００２５】
まず、棟換気装置２０の設置位置を、垂木１２の位置や建造物の構造等に基づいて決定する。
また、屋根１０に開ける開口部９０の位置、個数及び径を設定する。開口部９０を複数形成する場合には、開口部９０間の間隔も設定する。開口部９０の位置、個数、径及び間隔は、所望の換気性能や棟換気装置２０の寸法等に基づいて設定する。
なお、開口部９０は、屋根１０のなかで最も高い位置、すなわち棟包１６の頭頂部に設けることが好ましい。開口部９０を屋根１０のなかで最も高い位置に設けることで、雨水の浸入をより確実に防ぐことができる。
また、所望の開口面積を確保するためには、開口部９０を複数形成することが好ましい。開口部９０を複数形成することで、仮に垂木１２と重なる位置に一つの開口部９０が形成されたとしても、垂木１２と重ならない位置に形成された他の開口部９０によって開口面積を確保して十分な換気能力を得ることができる。
また、開口部９０を複数形成する場合は、開口部９０間の間隔が無いか小さすぎると、開口部９０を開ける作業が難しくなる可能性があるため、隣り合う開口部９０を離間して形成することが好ましい。開口部９０間の間隔は、開口部９０の最大径又は最大幅の０．３倍以上３倍以下とすることが好ましく、開口部９０の最大径又は最大幅の１．５倍以上２倍以下とすることがより好ましく、開口部９０の最大径又は最大幅の１．７５倍とすることが最も好ましい。複数の開口部９０は等間隔で形成することが好ましいが、開口部９０が垂木１２に重なる場合には、垂木１２を避けて開口部９０を設ける。
また、開口部９０は、一列に並べて形成することが好ましい。一列に並べて形成することで、開口部９０から雨水が浸入することを、より確実に防止できる。
本実施例では、図６に示すように、横幅Ｘが８００ｍｍ、縦幅Ｙが１００ｍｍである長方形の領域α内の４箇所に、円形状の開口部９０を等間隔で一列に並べて形成している。ここで、開口部９０の直径ｄは８０ｍｍ、開口部９０間の間隔Ｐは１４０ｍｍ、開口部９０から横幅Ｘの端までの間隔Ｑは３０ｍｍである。
【００２６】
次に、定規などの計測器を用いて罫書きを行い、開口部９０の形成位置の目安４０を棟包１６につける。本実施例では、図７に示すように、開口テンプレート３０を用いる。開口テンプレート３０は、板状であり、一方の板３１、他方の板３２、及び一方の板３１と他方の板３２との境目である接続部３３からなる。一方の板３１と他方の板３２は、接続部３３からそれぞれ斜め下方に傾斜している。すなわち、開口テンプレート３０は、棟換気装置２０と同様に、二つの傾斜面を有する山形の形状である。開口テンプレート３０の頭頂部となる接続部３３には、設定した開口部９０の位置、個数、径及び間隔に基づいてガイド穴３４が一列に設けられている。
図７（ａ）に示すように、棟換気装置２０を設置する位置に開口テンプレート３０を屋根１０の頭頂部に沿って置き、図７（ｂ）に示すように、筆記物３５を用いてガイド穴３４の位置に開口部９０の目安４０を罫書く。すると、図７（ｃ）に示すように、棟包１６の４箇所に目安４０ができる。目安４０を罫書いた後、開口テンプレート３０を撤去する。
このように、開口テンプレート３０を用いることで、目安４０を正確かつ簡便に棟包１６に罫書くことができる。
【００２７】
次に、目安４０を罫書いた位置に、棟包１６、笠木１５、屋根材１４、野地板１３の順に、棟包１６と笠木１５と屋根材１４と野地板１３とを貫通して開口部９０を形成する。開口部９０は、鋸などによって三角形や四角形などの多角形状とすることも可能であるが、ホルソー等のドリルを用いて円形状の開口部９０を形成することが好ましい。ドリルを用いることで円形状の開口部９０を効率的に精度良く形成することができる。
開口部９０を形成すると図８の状態となる。なお、図８（ｂ）に示すように、垂木１２及び棟木１１には開口部９０を形成しない。これにより建造物の強度を保つと共に、止水性能を維持することができる。
また、ドリルで開口部９０を形成する場合には、少しの時間をおいてドリルを使用することが好ましい。これによりドリルの刃との摩擦によって木材等が焦げることを防止できる。
【００２８】
開口形成工程Ｓ１０の後に、くず片除去工程Ｓ２０を行う。
開口形成工程Ｓ１０において、棟包１６、笠木１５、屋根材１４、野地板１３の順に穴を開けることに伴い、開口部９０及びその周囲には金属材や木材等のくず片が付着する。開口部９０やその周囲にくず片が付着していると、止水処理工程Ｓ３０において止水処理を行っても十分な止水性能が得られないおそれがある。そこで、止水処理工程Ｓ３０の前に、少なくとも開口部９０の内周面及び上面に付着したくず片を除去することが好ましい。
ここで、図９は、ブロアーを用いたくず片除去工程の説明図である。くず片の除去には、雑巾や箒を用いても良いが、ブロアー５０を用いることが好ましい。ブロアー５０を用いる場合、図９に示すように、くず片を吹き飛ばすことができるため、効率よく、くず片を除去できる。
【００２９】
くず片除去工程Ｓ２０の後に、止水処理工程Ｓ３０を行う。
止水処理工程Ｓ３０では、開口部９０の内周面、開口部９０の上縁面、及び開口部９０の下縁面を、防水材６０で覆う。これにより、開口部９０からの雨水の浸水を防止できる。
防水材６０としては、防水テープ６０を用いることが好ましく、防水テープ６０のなかでもブチルゴム系の伸張性テープを用いることが好ましい。
【００３０】
図１０は、防水テープ６０を用いた止水処理工程の説明図である。図１１は、防水テープ６０を用いて止水処理がなされた屋根１０の一部断面図である。
まず、図１０（ａ）に示すように、開口部９０に防水テープ６０を差し込み、開口部９０の内周面になじませるように貼り付ける。このとき、開口部９０の内周面の高さよりも大きい防水テープ６０を用い、開口部９０の内周面から防水テープ６０の上下が余るように貼り付ける。ここで、開口部９０の内周面よりも上方に余らせた部分を防水テープ６０の上部余り部６１、開口部９０よりも下方に余らせた部分を防水テープ６０の下部余り部６２とする。
次に、図１０（ｂ）に示すように、上部余り部６１を折り曲げて皺を伸ばしながら開口部９０の上縁面に貼り付ける。
次に、図１０（ｃ）に示すように、下部余り部６２を折り曲げて皺を伸ばしながら開口部９０の下縁面に貼り付ける。
次に、開口部９０の内周面に防水テープ６０が貼り付けられていない部分が残っている場合は、図１０（ｄ）、（ｅ）に示すように、防水テープ６０が貼り付けられていない部分に、上記と同様にして防水テープ６０を貼り付ける。本実施例においては、一つの開口部９０に３枚の防水テープ６０を貼り付けている。
次に、図１０（ｆ）に示すように、開口部９０の内周面の全周に防水テープ６０が隙間なく貼りついていることを確認しつつ、防水テープ６０の皺を伸ばす。
このように、開口部９０に止水処理を施すことで、棟換気装置２０の下方に捨水切を設置することなく止水を行うことができる。よって、野地板１３に捨水切の寸法に合わせた開口を形成する必要が無いため、棟包１６が固定された後の屋根に対して比較的容易に棟換気装置２０を設置できる。
【００３１】
止水処理工程Ｓ３０の後に、棟換気装置２０の下地となる棟包１６の補強工程Ｓ４０を行う。なお、開口形成工程Ｓ１０の後でくず片除去工程Ｓ２０の前、又はくず片除去工程Ｓ２０の後で止水処理工程Ｓ３０の前に補強工程Ｓ４０を行うこともできる。
図１２は、補強ビス７０を用いた補強工程の説明図である。
補強工程Ｓ４０においては、開口部９０が形成された棟包１６を補強するために、棟包１６の所定の位置に補強ビス７０を打つ。補強ビス７０は複数打つことが好ましく、図１２に示すように、開口部９０が形成された領域αの四隅に打ち、その四隅から例えば約４５５ｍｍ間隔で領域αを取り囲むように均等に打つことがより好ましい。
【００３２】
補強工程Ｓ４０の後に、開口部周り防水処理工程Ｓ５０を行う。
開口部周り防水処理工程Ｓ５０においては、開口部９０の周囲に防水処理を行う。これにより更に止水性能を高めることができる。この防水処理には、シリコン系のシーリング剤８０を用いることが好ましい。
図１３は、シーリング剤８０を用いた開口部周り防水処理工程の説明図であり、図１３（ａ）は斜視図、図１３（ｂ）は、シーリング剤８０を用いた防水処理がなされた屋根１０の一部断面図である。
図１３（ａ）に示すように、開口部９０が形成された領域αの四隅に打った下地補強ビス７０を結ぶようにシーリング剤８０を塗布することが好ましい。
【００３３】
開口部周り防水処理工程Ｓ５０の後に、棟換気装置固定工程Ｓ６０を行う。
棟換気装置固定工程Ｓ６０は、開口部９０の上方を覆う位置で、棟包１６に換気本体２２を取り付ける換気本体固定工程Ｓ６１と、換気本体２２の上面に換気カバー２１を取り付ける換気カバー固定工程Ｓ６２からなる。
図１４は、棟換気装置固定工程Ｓ６０のうち換気本体固定工程Ｓ６１の説明図、図１５は、棟換気装置固定工程Ｓ６０のうち換気カバー固定工程Ｓ６２の説明図、図１６は、換気カバー２１に対する止水処理を説明する図である。
換気本体固定工程Ｓ６１において、図１４に示すように、換気本体２２を開口部９０が中心となるように棟包１６に置く。なお、換気本体２２には開口部９０と重なる位置に底面開口部２２Ｂが設けられており、底面開口部２２Ｂを通して開口部９０を視認することができるため、換気本体２２を開口部９０が中心となるように置く作業を容易に行える。
換気本体２２を棟包１６に置いた後、複数の本体固定ビス２３で換気本体２２を留めつけて固定する。  
【００３４】
換気本体２２を固定した後、換気カバー固定工程Ｓ６２において、図１及び図１５に示すように、換気本体２２の上面に換気カバー２１を取り付け、換気カバー固定ビス２４で換気カバー２１と換気本体２２とを隙間なく接続して固定する。
なお、換気本体２２の上面に換気カバー２１を取り付ける前には、図１６に示すように、換気カバー２１の裏側の両妻側の頂部に止水処理を行うことが好ましい。これにより棟換気装置２０の止水性能を更に高めることができる。換気カバー２１の止水処理には、シリコン系のシーリング剤８０を用いることが好ましい。
このように、開口部９０の上方を換気本体２２で覆い、換気本体２２の上方を換気カバー２１で覆うことで、換気本体２２と換気カバー２１との間に通気路が形成され、小屋裏の空気を換気することができる。
【００３５】
なお、上記実施例では、棟換気装置固定工程Ｓ６０が、換気本体固定工程Ｓ６１と換気カバー固定工程Ｓ６２とからなる場合を説明したが、換気本体２２と換気カバー２１を一体化したのちに、棟換気装置２０を設置することもできる。
また、上記実施例では、屋根材１４にスレート瓦１４Ｂが用いられている場合を説明したが、屋根材に金属瓦が用いられている場合にも本発明を適用可能である。
【産業上の利用可能性】
【００３６】
本発明は、特に建造物リフォーム時の棟換気装置の設置方法として適している。
【符号の説明】
【００３７】
１０  屋根
１１  棟木
１２  垂木
１２Ａ  一方の垂木
１２Ｂ  他方の垂木
１３  野地板
１４  屋根材
１４Ａ  屋根下葺材
１４Ｂ  スレート瓦
１５  笠木
１６  棟包
２０  棟換気装置
２１  換気カバー
２１Ａ  貫通ビス孔
２２  換気本体
２２Ａ  底面板材
２２Ｂ  底面開口部
２２Ｃ  換気カバー固定具
２２Ｄ  ビス孔
２３  本体固定ビス
２４  換気カバー固定ビス
３０  開口テンプレート
３１  一方の板
３２  他方の板
３３  接続部
３４  ガイド穴
３５  筆記物
４０  目安
５０  ブロアー
６０  防水材（防水テープ）
６１  上部余り部
６２  下部余り部
７０  補強ビス
９０  開口部
８０  シーリング剤
Ｓ１０  開口形成工程
Ｓ２０  くず片除去工程
Ｓ３０  止水処理工程
Ｓ４０  補強工程
Ｓ５０  開口部周り止水処理工程
Ｓ６０  棟換気装置固定工程
Ｓ６１  換気本体固定工程
Ｓ６２  換気カバー固定工程
ｄ  直径
Ｐ  開口部間の間隔
Ｑ  開口部から端までの間隔
Ｘ  横幅
Ｙ  縦幅
α  領域
【図１】
2018096143.tif 000003
【図２】
2018096143.tif 000004
【図３】
2018096143.tif 000005
【図４】
2018096143.tif 000006
【図５】
2018096143.tif 000007
【図６】
2018096143.tif 000008
【図７】
2018096143.tif 000009
【図８】
2018096143.tif 000010
【図９】
2018096143.tif 000011
【図１０】
2018096143.tif 000012
【図１１】
2018096143.tif 000013
【図１２】
2018096143.tif 000014
【図１３】
2018096143.tif 000015
【図１４】
2018096143.tif 000016
【図１５】
2018096143.tif 000017
【図１６】
2018096143.tif 000018